(57)【要約】【課題】紐の全外周にわたり連続して十分で継続的な滑り止め機能があり、製造も容易で汎用性があり、美観の点でも優れた、靴紐などに使用して最適の紐を提供する。【解決手段】紐１は、紐芯２の外周に、その長手方向に連続するようにネット状の覆い３を密着させて形成し、滑り止め機能を有している。紐１の外周面には、覆い３による凹凸面４ａ，４ｂを形成している。【選択図】      図１
0003130162.tif 000002
【実用新案登録請求の範囲】
【請求項１】
紐芯の外周に、その長手方向に連続するようにネット状の覆いを密着させた状態で形成したことを特徴とする紐。
【請求項２】
紐芯の外周に、その長手方向に連続するようにネット状の覆いを形成することにより、紐の外周面に凹凸面が形成されていることを特徴とする紐。
【請求項３】
請求項１又は２に記載の紐において、紐芯と覆いとの色彩が異なっていることを特徴とする紐。
【請求項４】
請求項３記載の紐において、前記覆いを前記紐芯に比較して後染め染色が容易な素材により形成し、紐芯の外周にその長手方向に連続するようにネット状の覆いを形成することにより紐素材を形成した後の後染め染色により、紐芯と覆いとの色彩を異ならしめたことを特徴とする紐。
【請求項５】
請求項４に記載の紐において、前記覆いをナイロン系素材により形成し、前記紐芯をナイロン系素材よりも染色が困難な合成繊維系素材により形成したことを特徴とする紐。
【請求項６】
請求項５に記載の紐において、前記紐芯をポリエステル系又はアクリル系の合成繊維系素材により形成したことを特徴とする紐。
【請求項７】
請求項１乃至６のいずれか１項記載の紐において、カットされた両端部にほつれ止め加工が施されたことを特徴とする紐。
【請求項８】
請求項１乃至６のいずれか１項記載の紐であって、カットされた両端部にほつれ止め加工が施され若しくは固定用端止部材が設けられたことを特徴とする靴紐。
【考案の詳細な説明】
【技術分野】
【０００１】
本考案は、靴紐、フード用紐或いは腰部用紐などのアパレル用紐、又は梱包用紐などとして用いられる紐に関するものである。
【背景技術】
【０００２】
従来、靴紐の表面には、緩んだり解けたりすることのないように樹脂加工などの表面処理を施しているが、使用時間に伴い、表面処理をした部分が磨耗し、効果が薄れてくるという不具合があった。
【０００３】
このような不具合を解消するために、芯糸の全外周を特殊構造の組紐層で被覆した靴紐が提案されている（下記特許文献１）。
ところが、このような靴紐は、構造が複雑で、製造が面倒であるばかりでなく、必要以上に太くなり、一般的な用途には使用し難い。
【０００４】
また、靴紐の結び目になるところに滑り止め加工を施し（下記特許文献２）、あるいは、伸縮体で形成し（下記特許文献３）た靴紐も提案されているが、滑り止め部が部分的で、汎用性に乏しく、その制作も、靴紐一本毎に加工する必要があり、製造も面倒であるという問題があった。
【特許文献１】実用新案登録第３１１５２７０号
【特許文献２】実用新案登録第３００１３４７号
【特許文献３】実開昭５７−９９４０４号公報
【考案の開示】
【考案が解決しようとする課題】
【０００５】
そこで本考案は、紐の全外周にわたり連続して十分で継続的な滑り止め機能があり、製造も容易で汎用性があり、美観の点でも優れた、靴紐などに使用して最適の紐を提供することを目的とするものである。
【課題を解決するための手段】
【０００６】
前記目的を達成するため本考案に係る紐１は、紐芯２の外周に、その長手方向に連続するようにネット状の覆い３を密着させて形成したことを特徴としている。
【０００７】
上記紐芯２の外周に、その長手方向に連続するようにネット状の上記覆い３を形成することにより、紐１の外周面には、凹凸面４ａ，４ｂが形成されていることを特徴としている。
上記覆い３による凹凸面４ａ，４ｂの形成により、紐１の全外周面は滑り止め機能を有している。
【０００８】
上記紐芯２と覆い３とは、色彩が異なり、ツートンカラーとされている。
【０００９】
上記紐１は、前記覆い３を前記紐芯２に比較して後染め染色が容易な素材により形成し、紐芯２の外周にその長手方向に連続するようにネット状の覆い３を形成することにより紐素材を形成した後の後染め染色により、紐芯２と覆い３との色彩を異ならしめることができる。
紐芯２と覆い３とを、格別に染色された素材により形成することにより、紐１をツートンカラーとすることもできる。
【００１０】
前記覆い３をナイロン系素材により形成し、前記紐芯２をナイロン系素材よりも染色が困難な合成繊維系素材、例えば、ポリエステル系又はアクリル系などの素材により形成させることもできる。
【００１１】
前記紐１は、一巻とされた長尺の状態として工場などから出荷され、必要に応じて所定長さに切断して使用される。
【００１２】
紐１を定尺に切断する時に、カットされた両端部にヒートカットなどのよるほつれ止め加工を施すことができる。
【００１３】
本考案に係る紐１を、靴紐として加工する時には、定尺にカットされた両端部にほつれ止め加工を施こし、若しくは、該両端部の外周にセルチップなどの固定用端止部材５を設けるようにする。
【考案の効果】
【００１４】
本考案に係る紐は、以上説明したように、紐芯２の外周に、その長手方向に連続するようにネット状の覆い３を形成しているので、滑り止め機能があり、靴紐などの結び目が滑らず、緩んだり解けたりすることがない。また、長時間の使用により滑り止め機能が劣化するということもない。
【００１５】
さらに、上記覆い３は、紐の長手方向全長に連続して形成されているため、どの部分を結び目としても良く、汎用性があり、靴紐のみならず、フード用紐或いは腰部用紐などのアパレル用紐、又は梱包用紐などとしても滑り止め機能を有する紐として用いることができる。
【００１６】
また、本考案に係る紐は、紐芯２と覆い３との色を異ならしめることにより、ツートンカラーとすることができ、意匠的にも優れており、靴紐又はアパレル用の紐として使用して商品価値が向上する。
【００１７】
紐１の覆い３を紐芯２に比較して後染め染色が容易な素材により形成し、紐芯２の外周に覆い３を連続して機械的に形成することにより紐素材を形成した後、後染め染色を施すことにより、紐芯２と覆い３との色彩が異なる紐を容易に連続して製造でき、ファッション性に優れたツートンカラーの紐を適宜容易且つ能率的に製造できる。
【考案を実施するための最良の形態】
【００１８】
以下、本考案の最良の形態につき、添付図面を参照して説明する。図１は本考案の第１実施形態による紐の全体図、図２は同一部の拡大図、図３は同断面図である。
【００１９】
紐１は、紐芯２の外周に、その長手方向に連続するようにネット状の覆い３を密着させて形成している。紐１の外周面には、覆い３による凹凸面４ａ，４ｂが連続して形成されている。この覆い３による凹凸面４ａ，４ｂにより、紐１の全外周面は滑り止め機能を有している。
【００２０】
紐芯２及び覆い３は、天然繊維又は合成繊維により形成される。この実施の形態では、覆い３を染色の容易なナイロン系素材により形成し、紐芯２をナイロン系素材よりも染色が困難な合成繊維系素材、例えば、ポリエステル系又はアクリル系などの素材により形成させるようにしている。紐芯２は、紐状に織られていても、繊維の引き揃えにより形成されていても良い。
【００２１】
紐１を製造するためには、紐芯２の外周に機械織りにより、筒状に覆い３を密着されて連続して形成させるようにする。
【００２２】
紐１は、紐芯２と覆い３の繊維の色彩を異ならしめることにより、ツートンカラーとすることができる。この場合、紐１の全体を後染め染色することにより、外部の覆い３は、染色が容易なナイロン系素材により形成されているため、所望の色彩に染色されるが、内部の紐芯２は染色が困難なポリエステル系又はアクリル系などの素材により形成されているため、後染め染色による影響はほとんど生じない。
このようにして、用途又はファッション性に応じて、所望のツートンカラーの紐１を得ることができる。
【００２３】
紐１は、一巻にして出荷されるが、定寸に切断加工して出荷することもできる。
この場合、切断両端面には、ヒートカットなどによるほつれ止め加工を施すことができる。
【００２４】
図４は、紐１を靴６の靴紐として用いた図である。靴紐１の両端には、セルチップなどの固定用端末部材５が設けられている。
【図面の簡単な説明】
【００２５】
【図１】本考案の実施の形態に係る紐の全体図である。
【図２】同一部の拡大図である。
【図３】同断面図である。
【図４】同紐を靴紐として用いた斜視図である。
【符号の説明】
【００２６】
１  紐
２  紐芯
３  覆い
４ａ，４ｂ  凹凸面
５  端末部材
６  靴
【図１】
0003130162.tif 000003
【図２】
0003130162.tif 000004
【図３】
0003130162.tif 000005
【図４】
0003130162.tif 000006